(57)【要約】【課題】電力計測器等を設置する際に実施するワニ口クリップの端子取り付け作業において、発生する可能性のある端子間の短絡事故を防止する。【解決手段】端子間短絡防止装置１０は、スリット溝１２を備えるベースプレート１１と、スリット溝１２に摺動自在に吊り下げ設置される短絡防止板１３と、ベースプレート１１に傾動自在に設置される把手部１４と、を備えることを特徴とするものである。ベースプレート１１は、本装置の主要部分を構成する部材であり、短絡防止板１３は、端子２３Ｒ，２３Ｓ，２３Ｔ間を仕切ることによって短絡の発生を防止する役目を果たす部材である。短絡防止板１３については、端子の数に応じて複数設置することが可能であるとともに、スリット溝１２に摺動自在に吊り下げ設置することが可能であるので、あらゆるサイズの端子や端子台に対応することが可能である。【選択図】図１
2005340113.tif 000002
【特許請求の範囲】
【請求項１】
絶縁材料で構成される端子間短絡防止装置であって、
スリット溝を備えるベースプレートと、
前記スリット溝に摺動自在に吊り下げ設置される短絡防止板と、
前記ベースプレートに傾動自在に設置される把手部と、
を備え、
前記短絡防止板が端子間を仕切ることによって短絡の発生を防止することを特徴とする端子間短絡防止装置。
【請求項２】
請求項１に記載の端子間短絡防止装置において、
前記把手部にはマグネットシートが設置されており、
かかるマグネットシートは、装置設置の際の固定を助けることを特徴とする端子間短絡防止装置。
【発明の詳細な説明】
【技術分野】
【０００１】
本発明は、端子にワニ口クリップを取り付けて機能検査等を行う際に、ワニ口クリップを取り付けようとしている端子と、その端子に隣接している端子とにワニ口クリップが接触することによって発生する短絡事故を防止するために用いられる端子間短絡防止装置に関するものである。
【背景技術】
【０００２】
電気設備の設備診断や省エネ診断等を行う場合には、現状のエネルギ（電力量）使用実態を把握するために、端子に電力計測器を取り付けることが行われている。この作業は、一般的にワニ口クリップを端子に取り付けることによって行われている（例えば、図３参照）。
【０００３】
ワニ口クリップを端子に取り付ける手順としては、（１）まず、指でワニ口部分を摘み、（２）ワニ口を拡げた状態で端子に近づけた後、（３）摘んでいた指を離し、（４）ワニ口を閉じることによって取り付けが完了する。
【０００４】
なお、従来の端子間短絡防止構造に関する技術として、以下のようなものがある（下記特許文献１〜７参照）。
【０００５】
【特許文献１】特開平０８−２０３４９５号公報
【特許文献２】特開平０８−２０３４９６号公報
【特許文献３】特開昭５５−０８６０８２号公報
【特許文献４】特開平０６−０６０８６３号公報
【特許文献５】特開平０８−１７９００３号公報
【特許文献６】特開平１１−０７４０３３号公報
【特許文献７】特開２００１−０８５１１５号公報
【発明の開示】
【発明が解決しようとする課題】
【０００６】
しかしながら、従来のワニ口クリップ端子取り付け作業で問題となるのは、「（２）ワニ口を拡げた状態で端子に近づける」際に、接続対象である端子とその他の端子の両方にワニ口クリップが接触してしまうことによって短絡が発生してしまう恐れがあることである。特に、高圧受電設備（受電点）を計測する場合には、万一短絡が発生すると全館停電につながる恐れがあるため、作業者には、非常に慎重な作業が求められていた。
【０００７】
そこで、端子にワニ口クリップを取り付けて機能検査等を行う際に、ワニ口クリップを取り付けようとしている端子と、その端子に隣接している端子とにワニ口クリップが接触することによって発生する短絡事故を防止することのできる装置が求められていた。
【０００８】
本発明は、以上のような問題の存在に鑑みて成されたものであって、電力計測器等を設置する際に実施するワニ口クリップの端子取り付け作業において、発生する可能性のある端子間の短絡事故を防止することができる装置の提供を目的とするものである。
【課題を解決するための手段】
【０００９】
本発明に係る端子間短絡防止装置は、絶縁材料で構成される端子間短絡防止装置であって、スリット溝を備えるベースプレートと、前記スリット溝に摺動自在に吊り下げ設置される短絡防止板と、前記ベースプレートに傾動自在に設置される把手部と、を備え、前記短絡防止板が端子間を仕切ることによって短絡の発生を防止することを特徴とする。
【００１０】
また、本発明に係る端子間短絡防止装置では、前記把手部にマグネットシートを設置することが可能であり、かかるマグネットシートによって、装置設置の際の固定を助けることができる。
【発明の効果】
【００１１】
本発明によれば、電力計測器等を設置する際に実施するワニ口クリップの端子取り付け作業において、発生する可能性のある端子間の短絡事故を防止することができる。
【発明を実施するための最良の形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
図１は、本実施形態に係る端子間短絡防止装置１０の全体概要を例示する外観斜視図である。図１では、端子台２０が壁面２２に埋め込まれている場合に、本実施形態に係る端子間短絡防止装置１０を適用した場合を例示している。
【００１４】
本実施形態に係る端子間短絡防止装置１０は、全体が絶縁材料で構成されていることを特徴としている。そして、その具体的な構成は、スリット溝１２を備えるベースプレート１１と、スリット溝１２に摺動自在に吊り下げ設置される短絡防止板１３と、ベースプレート１１に傾動自在に設置される把手部１４と、を備えることを特徴とするものである。
【００１５】
ベースプレート１１は、本装置の主要部分を構成する部材であり、例えば、脚部１６を備えることが可能である。このような構成とすることによって、脚部１６と短絡防止板１３とが支えとなり、本実施形態に係る端子間短絡防止装置１０の自立が可能となる。
【００１６】
短絡防止板１３は、端子２３Ｒ，２３Ｓ，２３Ｔ間を仕切ることによって短絡の発生を防止する役目を果たす部材である。この短絡防止板１３は、端子の数に応じて複数設置することが可能である。また、ベースプレート１１が備えるスリット溝１２に摺動自在に吊り下げ設置することが可能である。このように短絡防止板１３を摺動可能とすることによって、あらゆるサイズの端子や端子台に対応することが可能となるのである。
【００１７】
また、把手部１４は、本装置の取っ手の役目を果たす部材である。この把手部１４の特徴点として、ベースプレート１１に傾動自在に設置されているとともに、その裏面には、マグネットシート１８が設置されていることが挙げられる。
【００１８】
まず、把手部１４がベースプレート１１に傾動自在に設置されることによって、本実施形態に係る端子間短絡防止装置１０があらゆるタイプの端子台に適用可能となっている。例えば、図１に示すように、端子台２０が壁面２２に埋め込まれている場合には、把手部１４を壁面２２に沿うように立てて設置することが可能である。このとき、把手部１４の裏面に設置されたマグネットシート１８の効果によって、把手部１４と壁面２２が固定される。つまり、マグネットシート１８は、本装置を安定して設置することに役立つのである。
【００１９】
一方、図２に示すように、端子台２０が壁面２２から飛び出している場合には、把手部１４を端子台２０上に沿うように水平方向に寝かせて設置することが可能である。このとき、把手部１４の裏面に設置されたマグネットシート１８の効果によって、把手部１４と端子台２０が固定される。したがって、図２に示すように、端子台２０が壁面２２から飛び出している場合であっても、マグネットシート１８は、本装置を安定して設置することに役立つのである。
【００２０】
なお、上述したマグネットシート１８の効果については、壁面２２あるいは端子台２０が金属で形成されている場合を想定している。これは、一般的に、端子台２０や端子台２０が設置される壁面２２には、金属材料が用いられることが多いからである。ただし、壁面２２や端子台２０が金属材料で形成されていない場合であっても、把手部１４がこれらに沿うように移動するので、把手部１４が本装置の安定した設置に寄与することは明らかである。
【００２１】
以上、本発明の好適な実施形態について説明したが、本発明の技術的範囲は上記実施形態に記載の範囲には限定されない。例えば、ベースプレート１１に設置される脚部１６は省略しても良いし、短絡防止板１３の設置数や形状については、端子台２０の形状に合わせたものを採用することが可能である。また、ベースプレート１１や把手部１４の形状等についても、端子台２０や壁面２２の形状に合わせたものを採用すれば良い。
【００２２】
なお、上記実施形態には、多様な変更又は改良を加えることが可能である。その様な変更又は改良を加えた形態も本発明の技術的範囲に含まれ得ることが、特許請求の範囲の記載から明らかである。
【図面の簡単な説明】
【００２３】
【図１】本実施形態に係る端子間短絡防止装置の全体概要を例示する外観斜視図であり、本実施形態に係る端子間短絡防止装置を壁面に埋め込まれた状態の端子台に適用した場合について例示する図である。
【図２】本実施形態に係る端子間短絡防止装置の全体概要を例示する外観斜視図であり、本実施形態に係る端子間短絡防止装置を壁面から飛び出した状態の端子台に適用した場合について例示する図である。
【図３】従来のワニ口クリップの端子取り付け状態を示す図である。
【符号の説明】
【００２４】
１０  端子間短絡防止装置、１１  ベースプレート、１２  スリット溝、１３  短絡防止板、１４  把手部、１６  脚部、１８  マグネットシート、２０  端子台、２２  壁面、２３Ｒ，２３Ｓ，２３Ｔ  端子。
【図１】
2005340113.tif 000003
【図２】
2005340113.tif 000004
【図３】
2005340113.tif 000005